(57)【特許請求の範囲】
【請求項１】
クランクプーリからの回転動力が伝達されるバルブ開閉用の回転軸と、
該回転軸と所定範囲で相対回転可能に外装された回転伝達部材と、
前記回転軸及び前記回転伝達部材の一方に取り付けられたベーンと、
前記回転軸と前記回転伝達部材との間に形成され前記ベーンによって進角用室と遅角用室とに二分される流体圧室と、
前記進角用室に流体を給排する第１流体通路と、
前記遅角用室に流体を給排する第２流体通路と、
前記回転軸及び前記回転伝達部材の一方に形成され、内部に前記回転軸及び前記回転伝達部材の他方側に付勢されたロックバルブを収容する退避孔と、
前記回転軸及び前記回転伝達部材の他方に形成され、前記回転軸と前記回転伝達部材との相対位相が所定の位相で同期したときに前記ロックバルブが挿入され、底部に前記ロックバルブを排出可能なピストンを配置した受容孔と、
前記ピストンを作動させるための流体を給排する第３流体通路と、
前記退避孔と前記受容孔とが対向するよう前記回転軸と前記回転伝達部材とが位置した状態で、前記ロックバルブと前記ピストンとの間に流体を給排する第４流体通路とを備えた弁開閉時期制御装置。
【請求項２】
前記退避孔と前記受容孔とが対向する前記回転軸と前記回転伝達部材との位置を、前記回転伝達部材の回転に対し前記回転軸が最も遅れた位置とした請求項１記載の弁開閉時期制御装置。
【請求項３】
前記第１流体通路と前記第４流体通路と、前記第２流体通路と前記第３流体通路とをそれぞれ連通させた請求項１又は請求項２記載の弁開閉時期制御装置。
【請求項４】
前記第４流体通路を前記回転軸と前記回転伝達部材との摺動面に形成した請求項１から請求項３の何れか１項記載の弁開閉時期制御装置。
【発明の詳細な説明】
【０００１】
【発明の属する技術分野】
この出願の発明は、排気弁又は吸気弁を開閉させる回転軸と回転伝達部材との間に形成した圧力室をベーンによって進角室と遅角室とに区画し、進角室と遅角室との選択的な流体の給排によって回転軸と回転伝達部材との相対位相を可変とすることで、吸気弁又は排気弁の開閉時期を制御する内燃機関の弁開閉時期制御装置に関するものである。
【０００２】
【従来の技術】
これらの種類の弁開閉時期制御装置は、例えば特開平１−９２５０４号公報や実開平２−５０１０５号公報に開示されている。これらの従来の弁開閉時期制御装置には、回転軸と回転伝達部材との相対変位を規制するために、 受容孔、退避孔、退避孔内に収容され受容孔側にスプリングによって付勢されたロックバルブからなる位相保持機構が備わっている。
【０００３】
この位相保持機構は、図５（Ａ）〜（Ｃ）に示すように、回転軸１の外周に、回転軸１に一体固定したロータ２と、ロータ２の外周に相対回転可能な回転伝達部材３とを配置している。ロータ２の外周には、ロータ２の径方向に延びる複数のベーン４が取り付けられている。それぞれのベーン４は、ロータ２の外側と回転伝達部材３の内側との間に円周上に複数形成された流体圧室５内に延びており、それぞれの流体圧室５を進角室５ａと遅角室５ｂとに区画している。回転伝達部材３には、放射方向に退避孔６が形成されており、退避孔６内にはスプリング７によってロータ２側に付勢されたロックバルブ８が収容されている。ロータ２には、ロックバルブ８が挿入可能な受容孔９が形成されている。進角室５ａには流体通路１０ｂを介して流体が給排され、遅角室５ｂには流体通路１０ｃを介して流体が給排されている。この弁開閉時期制御装置は、 進角室５ａと遅角室５ｂとの流体圧の圧力差によって、ベーン４を流体圧室５の範囲で変位させることによって、回転伝達部材３とロータ２（回転軸１）との位相を変換している。ここに示した従来技術は、回転伝達部材３とロータ２（回転軸１）とが、時計の回転方向に回転するものであり、退避孔６と受容孔９との位置関係が、回転伝達部材３の回転に対して最遅角の位置に設けられている。受容孔９に挿入されたロックバルブ８は、連通路１０ａを介して供給される流体の流体圧によって、スプリング７の付勢力に抗して退避孔６に退けられる。連通路１０ａは流体通路１０ｂと回転軸１の内部で合流しており、流体通路１０ｃは連通路１０ａ及び流体通路１０ｂと独立している。
【０００４】
上記の構成の従来技術の作動は、例えば図５（Ａ）に示す最進角位置から、図示しない流体制御装置により流体通路１０ｃを介して供給することにより、進角室５ａと遅角室５ｂとの流体圧差によりベーン４が図５（Ａ）にＢで示す矢印の方向へ回転する。これによって、ロータ２が回転伝達部材３との間で相対回転して、図５（Ｂ）に示す最遅角位置まで位相を変換する。最遅角位置になると、退避孔６と受容孔９の位置が合致し、スプリング７の付勢力によりロックバルブ８が受容孔９に挿入され、ロータ２と回転伝達部材３との相対回転を規制する。次に、最遅角位置から進角させる場合には、図５（Ｃ）に示すように、図示しない流体制御装置により流体通路１０ｂを介して流体を進角室５ａに供給し、遅角室５ｂの流体を流体通路１０ｃを介して排出すると共に、連通路１０ａにも流体を供給して、ロックバルブ８を受容孔９から退避孔６へ排出することにより、図５（Ｃ）にＡで示す矢印の方向へベーン４を回転するものである。
【０００５】
【発明が解決しようとする課題】
上記の従来の弁開閉時期制御装置によれば、ロックバルブ８は回転伝達部材３とロータ２とが最遅角位置になる度に受容孔９に挿入され、進角方向に位相を変換するときにロックバルブ８を退避孔６へ離脱させると共に進角室５ａと遅角室５ｂとの流体圧差によって回転伝達部材３とロータ２とを進角させている。連通路１０ａと流体通路１０ｂとを、回転軸１の内部で合流させている技術的なねらいは、遅角方向へ作用させる流体通路１０ｃを独立させて、最遅角位置となったときに受容孔９内の流体を排出しておきロックバルブ８を受け入れる体制を整えておくため、並びにロックバルブ８を受容孔９から排出する流体と、進角方向へ位相を変換するための流体とを同時に供給することで、ロックバルブ８の排出処理と、進角方向への位相の変換処理とのレスポンスを向上させるためのものである。しかしながら、上記の従来のロックバルブ８は、弁開閉時期制御装置を作動させて最遅角位置となる度に受容孔９に係合するので、ロックバルブ８の作動回数が膨大な回数となり、ロックバルブ８の摩耗に対する耐久性、この耐久性を達成するための材料や材料の加工方法の開発及び選定、ロックバルブ８の作動を支える退避孔６および受容孔９の摩耗に対する耐久性、この耐久性を達成するための材料や材料の加工方法の開発及び選定など、さまざまな条件を検討のうえ、これらの耐久性を確保するために非常に高価な材料を用いなければならないなどの問題があった。
【０００６】
一方、従来の弁開閉時期制御装置においてロックバルブ８を設けて、回転伝達部材３とロータ２（回転軸１）との位相の変換を規制する最大の目的は次のとおりである。すなわち、エンジンの停止時など、流体の圧力源が停止することにより、進角室５ａと遅角室５ｂとの内部の流体圧が低下した後、次にエンジンを始動させると、エンジンの始動と同時に進角室５ａと遅角室５ｂとの内部の流体圧を確保できないことにより、ベーン４が流体室５内を自由に回転することができる。このベーン４の移動に伴って、ベーン４が流体室５の内壁に当接して打音を発生する。この打音を防止するためにベーン４も移動を規制する必要があり、少なくともエンジン始動直後の進角室５ａと遅角室５ｂとの内部の流体圧が確保されるまで、回転伝達部材３とロータ２（回転軸１）との位相の変換を規制するためにロックバルブ８を設けている。逆に、エンジンの通常運転中は、少なくとも進角室５ａと遅角室５ｂとの一方には流体が満たされていることにより、ベーン４が流体室５内を自由に回転することができないので打音の発生の問題は起きるものではない。
【０００７】
本発明は、上記従来技術の問題点に鑑みなされたもので、ロックバルブの耐久性を向上させることを目的として、ロックバルブによる回転伝達部材とロータ（回転軸）との係合をエンジンの始動時にのみ作用させるようにし、エンジンの通常運転中はロックバルブが受容孔に挿入されないようにした弁開閉時期制御装置を開示するものである。
【０００８】
【課題を解決するための手段】
上記した課題を解決するために請求項１の弁開閉時期制御装置に係る発明において講じた手段は、
クランクプーリからの回転動力が伝達されるバルブ開閉用の回転軸と、
該回転軸と所定範囲で相対回転可能に外装された回転伝達部材と、
前記回転軸及び前記回転伝達部材の一方に取り付けられたベーンと、
前記回転軸と前記回転伝達部材との間に形成され前記ベーンによって進角用室と遅角用室とに二分される流体圧室と、
前記進角用室に流体を給排する第１流体通路と、
前記遅角用室に流体を給排する第２流体通路と、
前記回転軸及び前記回転伝達部材の一方に形成され、内部に前記回転軸及び前記回転伝達部材の他方側に付勢されたロックバルブを収容する退避孔と、
前記回転軸及び前記回転伝達部材の他方に形成され、前記回転軸と前記回転伝達部材との相対位相が所定の位相で同期したときに前記ロックバルブが挿入され、底部に前記ロックバルブを排出可能なピストンを配置した受容孔と、
前記ピストンを作動させるための流体を給排する第３流体通路と、
前記退避孔と前記受容孔とが対向するよう前記回転軸と前記回転伝達部材とが位置した状態で、前記ロックバルブと前記ピストンとの間に流体を給排する第４流体通路とから構成したことである。
上記の構成とすることにより、第４流体通路から供給される流体によってロックバルブとピストンとの間に流体溜りを形成することができ、ロックバルブが退避孔から受容孔に挿入することができなくなり、ロックバルブにより回転軸と回転伝達部材との相対回転を規制することを防止することが可能となる。
【０００９】
請求項２の発明において講じた手段は、前記退避孔と前記受容孔とが対向する前記回転軸と前記回転伝達部材との位置を、回転伝達部材の回転に対し回転軸が最も遅れた位置としたことである。
エンジンを停止し流体通路の内部、進角室、遅角室などの内部流体圧が低下した後にエンジンを始動するときには、流体圧源からの流体圧が十分な値となる前にクランクシャフトの回転がタイミングベルト又はタイミングチェーンを介して回転伝達部材に伝達し、この回転がベーンを介して回転軸を回転することになる。このとき、ベーンの両端に形成される進角室及び遅角室の流体圧が低下していることから、上記の回転力によってベーンが最遅角の位置まで変位し、回転伝達部材と回転軸とを遅角側へ位相を変化する。
請求項２の発明においては、エンジンの始動時など十分な油圧が供給されていない場合に、上記の如くのメカニズムにより回転伝達部材と回転軸とが最遅角位置へ変位したときに、ロックバルブを受容孔に挿入して回転伝達部材と回転軸との相対回転を規制することによって、打音の発生を防止することが可能となる。
【００１０】
請求項３の発明において講じた手段は、第１流体通路と第４流体通路、及び第２流体通路と第３流体通路をそれぞれ連通させたことである。この構成とすることによって、ピストンの外側（退避孔側）に流体を作用させる第４流体通路と進角用室と連通する第１流体通路とが連通し、進角側へ位相を変換する場合にピストンとロックバルブとの間に流体を作用させてロックバルブが受容孔に係合しないように作用する。一方、ピストンの内側に流体を作用させる第３流体通路と遅角用室と連通する第２流体通路とが連通し、遅角側へ位相を変換する場合にピストンをロックバルブ側に作用させて（受容孔をピストンで塞ぐことで）ロックバルブが受容孔に係合しないように作用する。従って、少なくとも第１流体通路又は第２流体通路の一方へ流体を供給することによって、ロックバルブは受容孔に係合することができなくなり、通常運転中の回転軸と回転伝達部材との相対回転の規制を阻止することが可能となる。
【００１１】
請求項４の発明において講じた手段は、第４流体通路を回転軸と回転伝達部材との摺動面に形成したことである。第４流体通路を流れる流体が供給される先は、回転軸と回転伝達部材との摺動面であり、第４流体通路を回転軸と回転伝達部材との摺動面の一方に溝を形成することで非常に簡単に形成することが可能となる。なお、第４流体通路の形成は、切削したり、溶融金属を型内に注入して形成したりすることなどができる。
【００１２】
【発明の実施の形態】
本発明に係る実施の形態を図面を参照して説明する。
【００１３】
図１において、符号１２は図示しないシリンダヘッドに回転自在に支持された吸気弁を開閉するカム（図示していない）を取り付けたカムシャフト（回転軸）である。本発明に係る弁開閉時期制御装置は、このカムシャフト１２の先端部に次に詳細を説明するように取り付けられている。この実施の形態における回転伝達部材は、ベルト又はチェーンによって図示しないクランクシャフトの回転力が伝達されるタイミングプーリ１４、外部ロータ１８及び外板２０をボルト１６によって共締されており、これらの部材が相対回転不能に且つ一体に固定されている。略円筒形状をした外部ロータ１８内側には、内部ロータ２２がカムシャフト１２の先端部にボルト１７によって相対回転不能に取り付けられている。従って、外部ロータ１８を主たる部材とする回転伝達部材とカムシャフト１２とは、内部ロータ２２の外周面と外部ロータ１８の内周面との間で相対回転が可能に形成されている。カムシャフト１２の内部には、それぞれカムシャフト１２の軸方向に延びる遅角通路２８と進角通路３０とが配設されている。遅角通路２８と進角通路３０は、一端を弁開閉時期制御装置側の外周オイル給排口３５、３６に連通しており、他端を外周オイル給排口３２、３４と連通している。外周オイル給排口３２、３４は、図示しないオイルポンプから供給される流体としてのオイルが切換バルブ１１１を介して選択的に給排状態となって通流する。なお、流体はオイルなどの液体の媒体以外にエアーなどの気体の媒体に置き換えることも可能である。
【００１４】
切換バルブ１１１は、ソレノイド１１２へ通電することによってスプール１１３をスプリング１１４に抗して図示右方向へ摺動されるものであり、オイルポンプから供給されるオイルを油路１１５から取り入れ、一方のポート通路１１７を外周オイル給排口３２に連通し、他方のポート通路１１６を外周オイル排出口３４に連通している。１１９はドレンであり、ソレノイド１１２の非通電時にはポート通路１１７が給圧状態、ポート通路１１６が排圧状態となり、ソレノイド１１２の通電時にはその逆になる。従って、通電時に進角通路２８にオイルが供給され、非通電時に遅角通路３０にオイルが供給される。
【００１５】
次に、図１のＡ−Ａ断面を示す図２に示すように、外部ロータ１８の内周側には仕切壁３３によって形成された５個の圧力室３８と、１つの退避孔４０が形成されている。それぞれの圧力室３８は、内部ロータ２２に固定され放射方向に突設したベーン５２により、作動室３８ａ（進角室）と作動室３８ｂ（遅角室）とに区画されている。ベーン５２は、内部ロータ２２側の端部に配置されたバネ部材４９によって遠心方向に付勢されている（図１参照）。作動室３８ａは内部ロータ２２に形成された中間通路５４を介して進角通路２８の外周オイル給排口３５に連通され、作動室３８ｂは内部ロータ２２に形成された中間通路５６を介して遅角通路３０の外周オイル給排口３６に連通されている。
【００１６】
図３に示すように、外部ロータ１８に設けた退避孔４０は、外側にエア抜きを有する蓋材４２により封栓され、その内部には外側に付勢手段を構成するスプリング４６が配置され、このスプリング４６は退避孔４０の内部に位置されたロックバルブ４４を内側（内部ロータ２２側）へ付勢している。この退避孔４０とほぼ同径で内部ロータ２２の外周には受容孔４８が形成されている。この受容孔４８の底部略中央には更に内部ロータ２２の中央側へ延びる連通路５０が形成され、この連通路５０はカムシャフト１２の外周オイル給排口３６に連通している。従って、連通路５０は外周オイル給排口３６を介して遅角通路３０および中間通路５６に連通している。また、受容孔４８の内部には、ピストン６０がロックバルブ４４に対向して配置されており、このピストン６０は遅角通路３０、連通路５０を介して受容孔４８に供給されるオイルの流体圧によってロックバルブ４４を内部ロータ２２側へ付勢するスプリング４６の付勢力に抗して受容孔４８から排出することができる。
【００１７】
本実施の形態においては、受容孔４８と退避孔４０とが同相になるときのカムシャフト１２と外部ロータ１８との位相が最遅角状態に設定されている。即ち、図１に示すようにベーン５２が進角時に給圧側となる作動室３８ａを最小化しているときに受容孔４８と退避孔４０との位相が一致する。
【００１８】
また、本実施の形態においては、作動室３８ａのオイルを給排する５つの中間通路５４のうち受容孔４８に隣接する中間通路５４ａのみは、作動室３８ａに連通すると共に内部ロータ２２の外周を切削され受容孔４８の外周端へ分岐する連通路６２と連通している。特に、連通路６２の受容孔４８側の端部６２ａは、内部ロータ２２の内側に切れ込んでおり、図１に示すようにロックバルブ４４が受容孔４８に挿入された状態のロックバルブ４４とピストン６０との接触面にオイルを供給することができる。また、ロックバルブ４４とピストン６０の先端部の端面はＲ形状をしており、連通路６２を介して供給されるオイルがロックバルブ４４とピストン６０との接触面に作用するようになっている。
【００１９】
次に図４（Ａ）〜（Ｄ）に基づき、本実施の形態の作用を説明する。
【００２０】
図４（Ａ）は、エンジンが停止して図示しないオイルポンプが停止することにより遅角通路２８、進角通路３０、作動室３８ａ、３８ｂ、連通路５０、中間通路５４、５６内のオイル圧力が低下して、スプリング４６の付勢力によってロックバルブ４６が受容孔４８に挿入された状態、即ちロック状態を示している。このようにロックバルブ４６が受容孔４８に挿入されることによって、内部ロータ２２と外部ロータ１８との相対回転を規制する。なお、エンジンの停止時に退避孔４０と受容孔４８との位置が一致していないことにより、ロックバルブ４６が受容孔４８に挿入できない場合であっても、エンジンの始動時に作動室３８ａ、３８ｂのオイル圧力が低下していることによりベーン５２が遅角側に相対回転することにより、最遅角位置となると同時にロックバルブ４６が受容孔４８に係合する。
【００２１】
図４（Ａ）の最遅角位置から進角させる場合には、切換バルブ１１１を通電状態として進角通路２８にオイルを供給する。従って、進角通路２８と連通する中間通路５４を介して作動室３８ａにオイルが供給される。このとき、ロックバルブ４４が受容孔４８に挿入されており、外部ロータ１８と内部ロータ２２との相対回転ができない。しかしながら、図４（Ｂ）に示すように、受容孔４８に隣接する中間通路５４ａから受容孔４８へ延びる連通路６２を介してオイルの一部がロックバルブ４４とピストン６０との接合部に流入することによって、このオイルの圧力がスプリング４６の付勢力に抗してロックバルブ４４を受容孔４８から退避孔４０へ排出する。
【００２２】
図４（Ｃ）には、上記の如くロックバルブ４４を退避孔４０へ排出し、内部ロータ２２が外部ロータ１８とに対し進角方向に相対回転している状態を示している。
【００２３】
一方、外部ロータ１８と内部ロータ２２と相対位置が進角状態から遅角状態に切り換える場合には、切換バルブ１１１を非通電状態として遅角通路３０、中間通路５６を介して作動室３８ｂへオイルを供給する。ここで、中間通路５６と連通路５０とが連通していることにより、作動室３８ｂへオイルを供給し内部ロータ２２を遅角側へ相対回転させる場合には、オイルは連通路５０を介して受容孔４８にも充填されている。従って、図４（Ｄ）に示す最遅角位置となっても、受容孔４８に充填されたオイルがピストン６０を外側に付勢し、スプリング４６により付勢されたロックバルブ４４の受容孔４８への挿入を阻止することができる。
【００２４】
以上のように、本実施の形態においては、受容孔４８に隣接する中間通路５４ａから受容孔４８へ延びる連通路６２を形成したことにより中間通路５４ａにオイルを供給する場合、中間通路５６へオイルを供給する場合のいづれの場合にもロックバルブ４４が受容孔４８へ挿入することを阻止できるので、図示しないオイルポンプ等の駆動源が作動するエンジンの回転中はロックバルブ４４が作動することがなく、ロックバルブ４４の不必要な作動を防止することができると共に、ロックバルブ４４の耐久性を向上させることができる。
【００２５】
【発明の効果】
上記した請求項１の弁開閉時期制御装置に係る発明は、クランクプーリからの回転動力が伝達されるバルブ開閉用の回転軸と、回転軸と所定範囲で相対回転可能に外装された回転伝達部材と、回転軸及び回転伝達部材の一方に取り付けられたベーンと、回転軸と回転伝達部材との間に形成され前記ベーンによって進角用室と遅角用室とに二分される流体圧室と、進角用室に流体を給排する第１流体通路と、遅角用室に流体を給排する第２流体通路と、回転軸及び回転伝達部材の一方に形成され、内部に回転軸及び回転伝達部材の他方側に付勢されたロックバルブを収容する退避孔と、回転軸及び回転伝達部材の他方に形成され、回転軸と回転伝達部材との相対位相が所定の位相で同期したときに前記ロックバルブが挿入され、底部にロックバルブを排出可能なピストンを配置した受容孔と、ピストンを作動させるための流体を給排する第３流体通路と、退避孔と受容孔とが対向するよう前記回転軸と前記回転伝達部材とが位置した状態で、ロックバルブとピストンとの間に流体を給排する第４流体通路とを備える。
上記の構成とすることにより、第４流体通路から供給される流体によってロックバルブとピストンとの間に流体溜りを形成することができ、ロックバルブが退避孔から受容孔に挿入することができなくなり、ロックバルブにより回転軸と回転伝達部材との相対回転を規制することを防止することができる。
【００２６】
請求項２の発明によれば、退避孔と受容孔とが対向する回転軸と回転伝達部材との位置を、回転伝達部材の回転に対し回転軸が最も遅れた位置としたことである。エンジンの始動時など十分な油圧が供給されていない場合に、回転伝達部材と回転軸とが最遅角位置へ変位したときに、ロックバルブを受容孔に挿入して回転伝達部材と回転軸との相対回転を規制することによって、打音の発生を防止することができる。
【００２７】
請求項３の発明によれば、第１流体通路と第４流体通路、及び第２流体通路と第３流体通路をそれぞれ連通させたことである。この構成とすることによって、ピストンの外側（退避孔側）に流体を作用させる第４流体通路と進角用室と連通する第１流体通路とが連通し、進角側へ位相を変換する場合にピストンとロックバルブとの間に流体を作用させてロックバルブが受容孔に係合しないように作用する。一方、ピストンの内側に流体を作用させる第３流体通路と遅角用室と連通する第２流体通路とが連通し、遅角側へ位相を変換する場合にピストンをロックバルブ側に作用させて（受容孔をピストンで塞ぐことで）ロックバルブが受容孔に係合しないように作用する。従って、少なくとも第１流体通路又は第２流体通路の一方へ流体を供給することによって、ロックバルブは受容孔に係合することができなくなり、通常運転中の回転軸と回転伝達部材との相対回転の規制を阻止することができる。
【００２８】
請求項４の発明によれば、第４流体通路を回転軸と回転伝達部材との摺動面に形成したことである。第４流体通路を流れる流体が供給される先は、回転軸と回転伝達部材との摺動面であり、第４流体通路を回転軸と回転伝達部材との摺動面の一方に溝を形成することで非常に簡単に形成することができる。
【図面の簡単な説明】
【図１】本発明の実施形態の弁開閉時期制御装置の断面を示す図面である。
【図２】図１のＡ−Ａ断面図をしめした図面である。
【図３】図２の要部詳細図である。
【図４】本発明の実施形態の弁開閉時期制御装置を示す断面図であり、（Ａ）はオイルポンプが停止した状態の最遅角状態、（Ｂ）は進角状態に移った状態、（Ｃ）は若干進角動作を行っている状態、（Ｄ）はオイルポンプが作動している状態の最遅角状態を示している。
【図５】従来の弁開閉時期制御装置を示す各動作説明図である。
【符号の説明】
１２・・・カムシャフト（回転軸）
１８・・・外部ロータ（回転伝達部材）
２２・・・内部ロータ（回転軸）
３８・・・圧力室（流体圧室）
３８ａ・・・作動室（進角用室）
３８ｂ・・・作動室（遅角用室）
４０・・・退避孔
４４・・・ロックバルブ
４８・・・受容孔
５０・・・連通路（第３流体通路）
５２・・・ベーン
５４・・・中間通路（第１流体通路）
５６・・・中間通路（第２流体通路）
６０・・・ピストン
６２・・・連通路（第４流体通路）
【図１】
0003812689.tif 000002
【図２】
0003812689.tif 000003
【図３】
0003812689.tif 000004
【図４】
0003812689.tif 000005
【図５】
0003812689.tif 000006